(57)【要約】      （修正有）【課題】ファクスジョブにおいて定着クリーニングの実行指示をユーザに対して確実に行うことで、シートに定着ローラ汚れが付着することを防止する仕組みを提供する。【解決手段】ＦＡＸの受信画像を蓄積するメモリー手段と、メモリー手段に受信画像を蓄積するか否か設定可能な選択手段と、定着器のクリーニングを実行するよう制御する制御手段と、クリーニングを実行するための条件を満たした場合にユーザにクリーニングを促す通知手段とを備え、選択手段が無効に設定された状態でＦＡＸジョブを実行中に定着クリーニングの実行条件を満たした場合、選択手段を有効に切り替える。【選択図】図８
2019161332.tif 000002
【特許請求の範囲】
【請求項１】
ファクシミリ（ＦＡＸ）通信機能を有し、シート保持部から給紙されたシートに記録された像の定着を行う定着器を備える複合画像形成装置（１００）であって、ＦＡＸの受信画像を蓄積するメモリー手段（１０４）と、前記メモリー手段に受信画像を蓄積するか否か設定可能な選択手段と、前記シート保持部から給紙されたシートによって前記定着器のクリーニングを実行するよう制御する制御手段（１０２）と、前記クリーニングを実行するための条件を満たした場合に、ユーザにクリーニングを促す通知手段（１１０）とを備え、
前記選択手段が無効に設定された状態でＦＡＸジョブを実行中に、前記定着器のクリーニングを実行するための条件を満たした場合に、前記受信画像を蓄積するか否か設定可能な選択手段の有効に切り替えることを特徴とする画像形成装置。
【請求項２】
請求項１に記載の画像形成装置において、前記選択手段の設定を有効に切り替えた後、前記ユーザへの通知手段（１１０）を介して、有効に切り替えたことを通知することを特徴とする画像形成装置（１００）。
【請求項３】
請求項１に記載の画像形成装置において、前記選択手段の設定を有効に切り替えた後、前記クリーニングが実行されるまでの間、前期選択手段を有効設定に固定することを特徴とする画像形成装置（１００）。
【請求項４】
請求項１に記載の画像形成装置において、前記ファクシミリ機能によるジョブ実行中に、前記クリーニングを実行するための条件を満たした場合、ジョブ完了後も前記メモリー手段に蓄積された受信画像を解放せず保持することを特徴とする画像形成装置（１００）。
【発明の詳細な説明】
【技術分野】
【０００１】
本発明は、画像形成装置、画像形成装置の制御方法、およびコンピュータプログラムに
関する。
【背景技術】
【０００２】
従来から、一対の定着回転体を加圧接触させて形成した圧接部に、未定着トナー画像を有するシートを挟持搬送させて、加熱及び加圧により未定着トナー画像をシートに加熱定着させる定着装置を適用した画像形成装置が広く知られている。
【０００３】
さらに、このような定着装置の加圧ローラには、トナー汚れが付着する（以下、定着ローラ汚れと称する）。定着ローラ汚れが蓄積すると、加圧ローラの離型性が低下し、シートが加圧ローラに巻き付いたり、場合によっては蓄積されたトナー汚れが一気にシートを汚したりしてしまう。
【０００４】
このような定着ローラ汚れをクリーニングする技術として、例えば、特許文献１には、ユーザからの指示に従い、白紙のクリーニングシートを通紙することによって、定着ローラ汚れをクリーニングする方法が開示されている。また、印刷ページ数をカウントし、一定枚数毎に自動的にクリーニング動作を実行する方法も知られている。
【０００５】
例えば特許文献２には、一定枚数の印刷ページが印刷される毎に、画像バッファにクリーニング用のページ画像を生成し、クリーニング完了後にクリーニング用のページ画像を開放する技術が開示されている。
【０００６】
さらに、特許文献２には、ユーザからのクリーニング実行指示を受け付ける手段を有し、一定枚数の印刷ページの印刷完了、かつユーザからの実行指示を受け付けた場合にクリーニングを実行する処理が開示されている。
【先行技術文献】
【特許文献】
【０００７】
【特許文献１】特開２００１−２２２１６号公報
【特許文献２】特開２０１５−２８５６５号公報
【発明の概要】
【発明が解決しようとする課題】
【０００８】
しかしながら、一定枚数の印刷ページの印刷が完了した場合であっても、ユーザがクリーニングの実行指示をスキップした場合、クリーニング処理が実行されずに定着ローラ汚れが蓄積されたままとなる。その後、新たなジョブを受け付けた場合、シートに定着ローラ汚れが付着する恐れがあり、ユーザは出力されたシートを見て初めて汚れに気付くことになる。このような状況のもと、ファクスジョブを受信した場合、メモリーに蓄積された受信画像は印刷完了時に削除されるため、その後、ユーザが汚れに気付いたとしてもジョブをやり直すことが出来ないという問題がある。
【０００９】
本発明はこのような問題点に鑑みなされたもので、ファクスジョブにおいて定着クリーニングの実行指示をユーザに対して確実に行うことで、シートに定着ローラ汚れが付着することを防止する仕組みを提供することにある。
【課題を解決するための手段】
【００１０】
ファクシミリ（ＦＡＸ）通信機能を有し、シート保持部から給紙されたシートに記録された像の定着を行う定着器を備える複合画像形成装置（１００）であって、ＦＡＸの受信画像を蓄積するメモリー手段（１０４）と、前記メモリー手段に受信画像を蓄積するか否か設定可能な選択手段と、前記シート保持部から給紙されたシートによって前記定着器のクリーニングを実行するよう制御する制御手段（１０２）と、前記クリーニングを実行するための条件を満たした場合に、ユーザにクリーニングを促す通知手段（１１０）とを備え、
前記選択手段が無効に設定された状態でＦＡＸジョブを実行中に、前記定着器のクリーニングを実行するための条件を満たした場合に、前記受信画像を蓄積するか否か設定可能な選択手段の有効に切り替えることを特徴とする画像形成装置。
【発明の効果】
【００１１】
本発明の画像形成装置によれば、定着器のクリーニングを実行するための条件を満たした場合に、ファクスのメモリー受信設定を切り替えることにより、ファクス受信において印刷されたシートに定着ローラ汚れが付着することを防止することが可能となる。
【図面の簡単な説明】
【００１２】
【図１】ＭＦＰ１００のハードウェア構成を示す図である。
【図２】本発明の第１の実施形態におけるＭＦＰ１００のファクス受信について説明するフローチャートである。
【図３】本発明の第１の実施形態におけるファクスジョブのジョブ状況の表示画面を示す図である。
【図４】本発明の第１の実施形態におけるホーム画面を示す図である。
【図５】本発明の第１の実施形態におけるクリーニング処理を説明するフローチャートである。
【図６】本発明の第１の実施形態におけるＭＦＰ１００のクリーニング処理に用いられるクリーニング用シートの一例を示す図である。
【図７】本発明の第１の実施形態におけるＭＦＰ１００のジョブ実行を示すフローチャートである。
【図８】本発明の第１の実施形態におけるＭＦＰ１００のページカウント処理について説明するフローチャートである。
【図９】本発明の第１の実施形態における再印刷実行のユーザ確認の表示画面の一例を示す図である。
【図１０】本発明の第１の実施形態におけるクリーニング実行の確認画面の表示の一例を示す図である。
【図１１】本発明の第１の実施形態におけるクリーニング警告通知の表示画面の一例を示す図である。
【図１２】本発明の第１の実施形態におけるファクスのメモリー受信設定機能の設定画面の一例を示した図である。
【図１３】本発明の第１の実施形態におけるメモリー受信設定において無効を選択した場合に表示される画面の一例を示す図である。
【図１４】本発明の第１の実施形態における印刷部１０７を示す図である。
【図１５】本発明の第１の実施形態におけるメモリー受信機能設定が有効時におけるファクスジョブ印刷を示すフローチャートである。
【図１６】本発明の第１の実施形態におけるメモリー受信機能設定が有効時におけるファクスジョブ再印刷を示すフローチャートである。
【発明を実施するための形態】
【００１３】
以下、図面を参照して本発明の実施の形態を詳しく説明する。
【００１４】
本形態では、画像処理装置として、プリントやスキャン、ファクス機能を有する複合機（ＭＦＰ：Ｍｕｌｔｉ  Ｆｕｎｃｔｉｏｎ  Ｐｅｒｉｐｈｅｒａｌ）を例に説明する。なお、以下の実施の形態は特許請求の範囲に係る発明を限定するものでなく、また実施の形態で説明されている特徴の組み合わせの全てが発明の解決手段に必須のものとは限らない。
【００１５】
＜第１の実施形態＞
本発明の第１の実施形態について説明する。図１は、本発明の第１の実施形態における、ＭＦＰ１００のハードウェア構成を示すブロック図である。各ブロックはモジュールを示しており、ブロック間の矢印はデータもしくは指示の流れを示している。ＭＦＰ１００は、印刷部１０７、読取部１０９、操作パネル１１０、回線Ｉ／Ｆ１１２、及び、これらの制御を司るコントローラ部１０１にて構成される。
【００１６】
コントローラ部１０１は、ＣＰＵ１０２、ＲＡＭ１０３、ＲＯＭ１０４、印刷部Ｉ／Ｆ１０６、読取部Ｉ／Ｆ１０８、ＭＯＤＥＭ１１１、ＵＳＢ−Ｄ  Ｉ／Ｆ１１５、ネットワークＩ／Ｆ１１８、ＵＳＢ−Ｈ  Ｉ／Ｆ１２２を備える。各ブロックはシステムバス１０５にて接続されている。ＣＰＵ１０２は、各種制御プログラムに従って前記の各ブロックを総括的に制御する。各種制御プログラムは、ＲＯＭ１０４のプログラム領域に記憶された制御プログラムを読み出す事によって実行される。或いは、ＲＯＭ１０４のプログラム領域に記憶された圧縮されたデータをＲＡＭ１０３へ伸張、展開して実行される。また、図示しないハードディスクドライブ（ＨＤＤ）に前述の各種制御プログラムを圧縮状態／非圧縮状態で格納してもよい。
【００１７】
ネットワークＩ／Ｆ１１８は、ネットワーク（ＬＡＮ）１２０などを介してホストコンピュータ１２１（図中、ＰＣと表記；以降、ＰＣという）との通信処理を行う。ネットワークＩ／Ｆ１１８とネットワーク網１２０とは、ＬＡＮケーブル１１９などの通信ケーブルで接続される。またＰＣ１２１はＵＳＢケーブル１１６を介してＵＳＢ−Ｄ  Ｉ／Ｆ１１５で接続することも可能である。ＭＯＤＥＭ１１１は、回線Ｉ／Ｆ１１２を介して公衆回線網１１４と接続し、図示しない他の画像形成装置やファクシミリ装置、電話機などと通信処理を行う。回線Ｉ／Ｆ１１２と公衆回線網１１４とは、一般的に電話線１１３などで接続される。ＵＳＢ−Ｈ  Ｉ／Ｆ１２２は直接外部メモリー１２３と接続される。
【００１８】
印刷部Ｉ／Ｆ１０６は、印刷部１０７（プリンターエンジン）に画像信号を出力するインターフェースを担う。また、読取部Ｉ／Ｆ１０８は、読取部１０９（スキャナーエンジン）からの読取画像信号を入力するインターフェースを担う。ＣＰＵ１０２は、読取部Ｉ／Ｆ１０９より入力された画像信号を処理し、記録画像信号として印刷部Ｉ／Ｆ１０６へ出力する。
【００１９】
ＣＰＵ１０２は、ＲＯＭ１０４のフォント領域に記憶されたフォント情報を用いて、操作パネル１１０の表示部に文字や記号を表示したり、ユーザの指示を受けた操作パネル１１０からの指示情報を受けたりする。
【００２０】
また、ＲＯＭ１０４のデータ領域には、ＣＰＵ１０２によってＭＦＰ１００の装置情報や、ユーザの電話帳情報、部門管理情報、ファクス送受信データなどが記憶され、ＣＰＵ１０２により必要に応じて読み出され、必要に応じて更新される。
【００２１】
本ブロック図では、読取部１０９および印刷部１０７を複写機１００の内部にある構成としたが、それぞれもしくは両方とも外部にある構成でもよい。
【００２２】
図２は、本発明の第１の実施形態における、ＭＦＰ１００のファクス受信を説明するフローチャートである。本フローは、ＣＰＵ１０２がＲＯＭ１０４に記憶された制御プログラムを実行することにより実現される。
【００２３】
Ｓ２０１にて、ＣＰＵ１０２はファクス受信を開始する。Ｓ２０２にて、ＣＰＵ１０２はファクス受信ジョブの作成を行う。Ｓ２０３にて、ＣＰＵ１０２はファクス受信が完了したか判定する。ファクス受信完了後Ｓ２０４に遷移する。Ｓ２０４にて、ＣＰＵ１０２はＳ２０２にて作成したジョブとＳ２０３にて受信した画像データをＲＯＭ１０４のデータＲＯＭに保存する。Ｓ２０５にて、ＣＰＵ１０２はメモリー受信設定が有効であるかを判定する。有効と判定された場合、処理を終了し、有効では無いと判定された場合Ｓ２０６に遷移する。
【００２４】
Ｓ２０６にて、ＣＰＵ１０２は印刷部１０７にてページ印刷を実行する。Ｓ２０７にて、ＣＰＵ１０２は図８にて後述しているページカウント処理を実行する。Ｓ２０８にて、ＣＰＵ１０２はクリーニングフラグがＯＦＦであるかを判定し、ＯＦＦと判定された場合Ｓ２０９へ遷移し、ＯＦＦではないと判定された場合Ｓ２１０へ遷移する。なお、クリーニングフラグがＯＮとなる条件については、図８のフローチャートにて後述する。
【００２５】
Ｓ２０９にて、ＣＰＵ１０２はＲＯＭ１０４のデータＲＯＭに保存した受信データのうち、印刷を完了したページを削除する。Ｓ２１０にて、ＣＰＵ１０２は受信したジョブの全ページの印刷が終了したかどうかを判定する。終了したと判定された場合Ｓ２１１に遷移する。終了していない場合、Ｓ２０６へ遷移し、次ページの印刷処理を実行する。
【００２６】
Ｓ２１１にて、ＣＰＵ１０２は、不揮発領域から削除されていないページがあるかを判定する。不揮発領域に受信ページがない場合、処理を終了し、受信ページがある場合、Ｓ２１２へ遷移する。
【００２７】
Ｓ２１２にて、ＣＰＵ１０２は操作パネル１１０の表示部に、図１０に示すクリーニング実行の確認画面の表示を行い終了する。これにより、印刷されたページに汚れが付着していた場合に、クリーニング実行後に再印刷できることをユーザに伝えることが可能となる。
【００２８】
図３は、本発明の第１の実施形態における、ＭＦＰ１００で受信したファクスジョブのジョブ状況を示す図である。ジョブ状況画面では、ＭＦＰ１００に保存されているファクスジョブの「受付番号」、「受付時刻」、「相手先」、「状況」、「ジョブタイプ」、「ジョブ操作」が表示される。
【００２９】
３０１は受付番号であり、ジョブを受け付けた順に番号が割り振られる。３０２／３０３／３０６は表示されているファクスジョブに対するコントロールボタンであり、ファクスのメモリー受信機能設定が有効の場合、操作パネル１１０の表示部よりユーザが選択可能となる。３０２は当該ファクスを印刷するためのボタンであり、３０２が選択された場合のフローチャートについては、図１５にて後述する。３０３は当該ファクスを印刷することなく削除するためのボタンである。
【００３０】
３０４はホーム画面に遷移する為のボタンである。図４は、３０４が選択されたさいに表示される画面の一例を示した図である。後述する図８のフローチャートＳ８０３で示されているクリーニングフラグがＯＮの状態のとき、操作パネル１１０の表示部に表示される。４０１によりユーザへ定着クリーニングの実行を要求しており、４０２により、メモリー受信設定に制限がかかっていることをユーザが知ることが可能となる。３０５はログアウトする為のボタンである。
【００３１】
３０６は当該ファクスにおいてファクスを再印刷するためのボタンである。図２に示すフローチャートにおいて、不揮発領域へ受信ページが残された状態で、且つ定着クリーニングフラグがＯＦＦの状態の場合にのみ、再印刷待ちのジョブとして有効となり３０６を選択することが可能となる。３０６が選択された場合のフローチャートについては、図１６にて後述する。
【００３２】
図５は、本発明の第１の実施形態における、ＭＦＰ１００のクリーニング処理を説明するフローチャートである。図５に示すクリーニング処理は、後述する図１４の定着装置１４０６のトナー汚れをクリーニングする処理である。コントローラ部１０１は、印刷部１０７に対し、クリーニングの実行指示を送る。なお、コントローラ部１０１がクリーニングの実行指示を送るタイミングについては後述する。Ｓ５０１において、印刷部１０１は、実行指示を受けると、加圧ローラ１４０９に付着したトナー汚れを定着ローラ１４０８へ移動させる。具体的には、印刷部１０７は、加圧ローラ１４０９と定着ローラ１４０８を加熱し、さらに回転させることにより、トナー汚れを定着ローラ１４０８へ移動させる。
【００３３】
次に、Ｓ５０２において、印刷部１０７は、不図示の給紙部から記録材１４１０を給紙する。次に、Ｓ５０３において、印刷部１０７は、クリーニング用のページ画像ページを記録材１４１０に転写することにより、クリーニング用シートを生成する。なお、クリーニング用シートについては、図６を参照しつつ後述する。
【００３４】
次に、Ｓ５０４において、印刷部１０７は、クリーニング用シートを定着装置１４０６の内部を通過させることにより、定着装置１４０６のクリーニングを行う。次に、Ｓ５０５において、クリーニングフラグをＯＦＦする。次に、Ｓ５０６において、印刷実行したページ数をカウントするためのページカウンタをクリアする。以上で、クリーニング処理は終了する。
【００３５】
図５に示すクリーニング処理により、定着ローラ１４０８のトナー汚れが除去される。また、加圧ローラ１４０９のトナー汚れは、Ｓ５０１において、定着ローラ１４０８に移動している。したがって、クリーニング処理により、加圧ローラ１４０９のトナー汚れも除去される。
【００３６】
図６は、本発明の第１の実施形態における、ＭＦＰ１００のクリーニング処理に用いられるクリーニング用シートの一例を示す図である。クリーニング用シート６０１には、クリーニング効果を高めるべく帯画像６０２が印字される。なお、クリーニング用シート６０１に印字される画像は、帯画像６０２に限定されるものではない。また、クリーニング用シートは、画像が印字されない記録材であってもよい。画像が印字されていない記録材がクリーニング用シートとして用いられる場合には、印刷部１０７は、白紙のページ画像をクリーニング用のページ画像として用いることとする。
【００３７】
図７は、本発明の第１の実施形態における、ＭＦＰ１００のジョブ実行を示すフローチャートである。Ｓ７０１にて、ＣＰＵ１０２は受け付けたジョブの種類がファクスであるかを判断し、ファクスであると判定された場合、図２で示すフローへと進み、ファクス以外（例えば、コピーやプリント）と判定された場合、Ｓ７０２へ遷移する。Ｓ７０２にて、ＣＰＵ１０２は印刷部１０７にてページ印刷を実行する。Ｓ７０３にて、ＣＰＵ１０２は図８にて後述しているページカウント処理を実行する。
【００３８】
Ｓ７０４にて、ＣＰＵ１０２はジョブの全ページの印刷が終了したかどうかを判定し、終了したと判定された場合、処理を終了し、終了していない場合、Ｓ７０２へ遷移し、次ページの印刷処理を実行する。Ｓ７０３にて、ＣＰＵ１０２は印刷が正常終了したかどうかを判定する。正常終了したと判定された場合Ｓ７０４に遷移する。Ｓ７０４にて、ＣＰＵ１０２はページカウント処理を終了する。なお、ページカウント処理については、図８を参照しつつ後述する。
【００３９】
図８は、本発明の第１の実施形態における、ＭＦＰ１００のページカウント処理について説明するフローチャートである。Ｓ８０１にて、ＣＰＵ１０２はページカウンタのインクリメントを行う。Ｓ８０２にて、ＣＰＵ１０２はページカウンタの値が閾値Ｘを超えているか判定する。ページカウンタの値が閾値Ｘを超えていた場合、Ｓ８０３へ遷移する。超えていなかった場合、処理を終了する。なお、閾値Ｘは、クリーニングが必要となるページカウンタの値である。この値は、現在のページカウンタと比較されて、定着のクリーニングが必要となっているかどうかの判断に使用される。
【００４０】
Ｓ８０３にて、ＣＰＵ１０２はクリーニングフラグをＯＮに変更する。Ｓ８０４にて、ＣＰＵ１０２はファクスのメモリー受信機能設定が無効であるかを判定する。無効であると判定された場合、Ｓ８０５に遷移する。無効でないと判定された場合、処理を終了する。Ｓ８０５にて、ＣＰＵ１０２はファクスのメモリー受信機能設定を有効に変更し、処理を終了する。
【００４１】
なお、本実施例では、クリーニングの実施が必要かどうかを、印刷ページカウントによって判定する例を説明したが、判定の方法はこれに限るものではない。例えば、前回クリーニングを実行してから所定の時間が経過する度にクリーニングを実施してもよいし、環境変化のタイミング、ＭＦＰ１００に関する部材が交換されたタイミングなどでクリーニングを実施してもよい。
【００４２】
図１２は、本発明の第１の実施形態における、ファクスのメモリー受信設定機能の設定画面の一例を示したものである。設定１２０１が押下された場合に、設定画面１２０２が表示される、ファクス設定１２０３を選択すると、ファクス設定画面１２０４へと画面表示が遷移する。画面１２０４では、メモリー受信設定ボタンを選択可能である。メモリー受信設定画面においては、有効と無効から設定を選択することが可能である。
【００４３】
図１３は、本発明の第１の実施形態における、メモリー受信設定において無効を選択した場合に表示される画面の一例を示したもので、図８のフローチャートＳ８０３で示されているクリーニングフラグがＯＮの状態のとき、無効を選択した場合に表示される。図１４は、本発明の第１の実施形態における、ＭＦＰ１００の印刷部１０７を示す図である。図１４には、印刷機構部１０７の一部の断面を示している。感光ドラム１４０１は、アルミニウムやニッケルなどのシリンダ状の基盤と、基盤上に形成されたＯＰＣ、アモルファスＳｅ、アモルファスＳｉ等の感光材料とを有している。この感光ドラム１４０１は矢印Ａの方向に回転し、まず、感光ドラム１４０１の面は、帯電装置としての帯電ローラ１４０２によって一様帯電される。
【００４４】
次に、感光ドラム１４０１は、画像情報に応じてＯＮ／ＯＦＦ制御されたレーザビームＢによる走査露光が施され、感光ドラム１４０１上に静電潜像が形成される。この静電潜像は、現像装置１４０４で現像、可視化される。現像方法としては、ジャンピング現像法、２成分現像法、ＦＥＥＤ現像法などが用いられる。一般に、イメージ露光と反転現像とを組み合わせて用いられることが多い。可視化された未定着トナー像は、転写装置としての転写ローラ１４０５により、所定のタイミングで搬送された記録材１４１０に、感光ドラム１４０１上より転写される。この
とき記録材１４１０は感光ドラム１４０１と転写ローラ１４０５に一定の加圧力で挟持搬送される。
【００４５】
未定着トナー像が転写された記録材１４１０は、定着装置１４０６へと搬送され定着される。定着装置１４０６は、定着ローラ１４０８と加圧ローラ１４０９とを有している。感光ドラム１４０１上に残存する転写残りの残留トナーは、クリーニング装置１４０７により感光ドラム１４０１の表面より除去される。
【００４６】
図１５は、本発明の第１の実施形態における、メモリー受信機能設定が有効時におけるファクスジョブ印刷を示すフローチャートである。Ｓ１５０１にて、ＣＰＵ１０２はクリーニングフラグがＯＮであるかを判定する。ＯＮと判定された場合、Ｓ１５０２に遷移し、ＯＮではないと判定された場合、図２に示すフローチャートのＳ２０６へ遷移する。Ｓ１５０２にて、ＣＰＵ１０２は、図１１に示すクリーニング警告通知を操作パネル１１０の表示部に表示を行う。Ｓ１５０３にて、ＣＰＵ１０２はジョブキャンセルが選択されたか判定する。キャンセルが選択された場合、処理を終了し、印刷継続が選択された場合、図２に示すフローチャートのＳ２０６へ遷移する。
【００４７】
図１６は、本発明の第１の実施形態における、メモリー受信機能設定が有効時におけるファクスジョブ再印刷を示すフローチャートである。Ｓ１５０１にて、ＣＰＵ１０２は、図９に示す再印刷実行のユーザ確認を操作パネル１１０の表示部に表示を行う。Ｓ１６０２にて、ＣＰＵ１０２はジョブキャンセルが選択されたか判定する。キャンセルが選択された場合、処理を終了し、印刷開始が選択された場合、図２に示すフローチャートのＳ２０６へ遷移する。
【００４８】
以上、本発明について実施例に基づいて説明したが、本発明は、これらの実施例に限定されるものではなく、この発明の要旨を逸脱しない範囲の様々な形態も本発明に含まれる。
【符号の説明】
【００４９】
１００  ＭｕｌｔｉＦｕｎｃｔｉｏｎＰｅｒｉｐｈｅｒａｌ（複合機）
１０１  コントローラ
１０２  ＣＰＵ（中央演算装置）
１０３  ＲＡＭ（読み書き可能メモリー）
【図１】
2019161332.tif 000003
【図２】
2019161332.tif 000004
【図３】
2019161332.tif 000005
【図４】
2019161332.tif 000006
【図５】
2019161332.tif 000007
【図６】
2019161332.tif 000008
【図７】
2019161332.tif 000009
【図８】
2019161332.tif 000010
【図９】
2019161332.tif 000011
【図１０】
2019161332.tif 000012
【図１１】
2019161332.tif 000013
【図１２】
2019161332.tif 000014
【図１３】
2019161332.tif 000015
【図１４】
2019161332.tif 000016
【図１５】
2019161332.tif 000017
【図１６】
2019161332.tif 000018